(57)【要約】【課題】破壊検知回路が形成される保護基板と制御基板との接続部分に対して犯罪者が不正行為を行おうとしていることを検知することが可能であっても、従来よりも構成を簡素化することが可能なカードリーダを提供する。【解決手段】このカードリーダは、本体フレーム６の前面側に配置される前面カバー１１と、本体フレーム６に固定される制御基板１３と、前面カバー１１が取り外されたことを検知するための検知機構１５ａと、破壊検知回路が形成される保護基板１４とを備えている。保護基板１４と制御基板１３との接続部分であるコネクタ２３は、保護基板１４によって、後ろ側、カードの厚さ方向の両側およびカードの幅方向の両側の５方向から囲まれている。また、コネクタ２３は、検知機構１５ａの後ろ側に配置されている。【選択図】図２
2018169832.tif 000002
【特許請求の範囲】
【請求項１】
カードに記録されたデータの読取りおよび前記カードへのデータの記録の少なくともいずれか一方を行うカードリーダにおいて、
前記カードが移動するカード移動路が形成される本体フレームと、前記カードの挿入口が形成されるとともに前記本体フレームの前面側に配置される前面カバーと、前記本体フレームに固定される制御用のプリント基板である制御基板と、前記前面カバーが取り外されたことを検知するための検知機構と、自身が断線したことおよび短絡したことの少なくともいずれか一方を検知するための破壊検知回路が形成されるプリント基板である保護基板とを備え、
前記カード移動路を移動する前記カードの移動方向である前記カードリーダの前後方向と、前記カード移動路を移動する前記カードの厚さ方向とに直交する方向を前記カードの幅方向とすると、
前記保護基板は、前記制御基板よりも後ろ側に配置される板状またはフィルム状の第１保護基板と、前記制御基板よりも前記カードの厚さ方向の一方側に配置される板状またはフィルム状の第２保護基板と、前記制御基板よりも前記カードの厚さ方向の他方側に配置される板状またはフィルム状の第３保護基板と、前記制御基板よりも前記カードの幅方向の一方側に配置される板状またはフィルム状の第４保護基板と、前記制御基板よりも前記カードの幅方向の他方側に配置される板状またはフィルム状の第５保護基板とを備え、
前記保護基板は、前記制御基板に接続され、
前記保護基板と前記制御基板との接続部分は、前記検知機構の後ろ側に配置されていることを特徴とするカードリーダ。
【請求項２】
前記保護基板は、フレキシブルプリント基板であり、
前記第１保護基板と前記第２保護基板と前記第３保護基板と前記第４保護基板と前記第５保護基板とが一体になっていることを特徴とする請求項１記載のカードリーダ。
【請求項３】
前記制御基板には、前記保護基板が接続されるコネクタが実装され、
前記コネクタが前記検知機構の後ろ側に配置されていることを特徴とする請求項１または２記載のカードリーダ。
【請求項４】
前記検知機構は、接触式の検知スイッチであることを特徴とする請求項１から３のいずれかに記載のカードリーダ。
【請求項５】
前記検知機構に電力を供給するバッテリーを備えることを特徴とする請求項１から４のいずれかに記載のカードリーダ。
【請求項６】
前記カードリーダが搭載される上位装置から前記カードリーダが取り外されたことを検知するための第２検知機構を備え、
前記検知機構および前記第２検知機構は、前記前面カバーに取り付けられていることを特徴とする請求項１から５のいずれかに記載のカードリーダ。
【発明の詳細な説明】
【技術分野】
【０００１】
本発明は、カードに記録されたデータの読取りやカードへのデータの記録を行うカードリーダに関する。
【背景技術】
【０００２】
従来、カードに記録されたデータの読取りやカードへのデータの記録を行う手動式のカードリーダが知られている（たとえば、特許文献１参照）。特許文献１に記載のカードリーダは、カードリーダ本体と、カードリーダ本体が収容される筐体と、カードリーダが上位装置に取り付けられていることを検知するための取付検知機構とを備えている。カードリーダ本体は、磁気ヘッドとＩＣ接点ブロックとを備えている。カードリーダ本体には、磁気ヘッドから引き出されるリード線が接続される第１制御基板と、ＩＣ接点ブロックから引き出されるケーブルが接続される第２制御基板とが取り付けられている。
【０００３】
特許文献１に記載のカードリーダでは、筐体は、カードの挿入口が形成される前面カバーと、ケース体とから構成されている。ケース体は、左右方向に二分割される第１ケース体と第２ケース体とから構成されている。第２ケース体の内側面には、フレキシブルプリント基板が貼り付けられている。また、カードリーダ本体は、ケース体に収容される本体フレームを備えている。本体フレームには、取付検知機構が取り付けられるセンサ基板が固定されている。
【０００４】
第１制御基板には、磁気データの読取り信号等を伝えるためのデータ信号回路（データ信号パターン）が形成されるデータ信号回路層（データ信号パターン層）と、自身が断線したことおよび短絡したことを検知するための破壊検知回路（破壊検知パターン）が形成される破壊検知回路層（破壊検知パターン層）とが形成されている。第２制御基板には、カードに内蔵されるＩＣチップのデータの読取り信号等を伝えるためのデータ信号回路が形成されるデータ信号回路層が形成されている。フレキシブルプリント基板およびセンサ基板には、破壊検知回路が形成される破壊検知回路層が形成されている。
【０００５】
第１制御基板は、本体フレームの右側面に固定され、第１制御基板のデータ信号回路層は、第１制御基板の破壊検知回路層よりも左側に配置されている。また、第１制御基板は、後ろ側および上下の両側から第２ケース体に覆われている。第２制御基板は、本体フレームの左側面に固定されており、左側、後ろ側および上下の両側から第２ケース体に覆われている。また、第２ケース体の内側面には、破壊検知回路層を有するフレキシブルプリント基板が貼り付けられている。さらに、破壊検知回路層を有するセンサ基板は、第１制御基板および第２制御基板よりも前側に配置されている。
【０００６】
すなわち、特許文献１に記載のカードリーダでは、第１制御基板のデータ信号回路および第２制御基板のデータ信号回路は、全方向から破壊検知回路によって囲まれた保護領域の中に配置されている。そのため、第１制御基板や第２制御基板からデータを不正に取得しようとして、犯罪者が何らかの細工をカードリーダに行うと、破壊検知回路が断線したり短絡したりして、カードリーダに対して何らかの細工が行われていることが検知される。また、破壊検知回路の断線や短絡が検知されたときに、第１制御基板および第２制御基板に記憶されているデータを消去したり、第１制御基板および第２制御基板を使用不可な状態にしたりする等の所定の処理を実行することで、犯罪者によるデータの不正取得を防止することが可能になる。
【先行技術文献】
【特許文献】
【０００７】
【特許文献１】特開２０１６−１１０４１４号公報
【発明の概要】
【発明が解決しようとする課題】
【０００８】
特許文献１に記載のカードリーダでは、フレキシブルプリント基板は、第１制御基板または第２制御基板に接続されている。ここで、特許文献１に記載のカードリーダにおいて、第１制御基板または第２制御基板とフレキシブルプリント基板との接続部分（以下、「フレキシブルプリント基板の接続部分」とする。）に対して犯罪者が何らかの細工を行うと、フレキシブルプリント基板の破壊検知回路が機能しなくなって、第１制御基板や第２制御基板からデータが不正に取得されるおそれがある。
【０００９】
そのため、特許文献１に記載のカードリーダでは、フレキシブルプリント基板の接続部分が保護領域の中に配置されるように、フレキシブルプリント基板は、第１制御基板の左面または第２制御基板に接続されていることが好ましい。第１制御基板の左面または第２制御基板にフレキシブルプリント基板が接続されていれば、フレキシブルプリント基板の接続部分に対して犯罪者が不正行為を行おうとすると、第１制御基板、フレキシブルプリント基板およびセンサ基板の少なくともいずれか１つの破壊検知回路が断線したり短絡したりするため、フレキシブルプリント基板の接続部分に対して不正行為が行われようとしていることを検知することが可能になる。
【００１０】
しかしながら、特許文献１に記載のカードリーダでは、フレキシブルプリント基板の接続部分に対して不正行為が行われようとしていることを検知するために、破壊検知回路が形成される第１制御基板、フレキシブルプリント基板およびセンサ基板によって６方向からフレキシブルプリント基板の接続部分を囲まなければならない。したがって、このカードリーダでは、カードリーダの構成が複雑になる。
【００１１】
そこで、本発明の課題は、破壊検知回路が形成される保護基板と制御基板との接続部分に対して犯罪者が不正行為を行おうとしていることを検知することが可能であっても、従来よりも構成を簡素化することが可能なカードリーダを提供することにある。
【課題を解決するための手段】
【００１２】
上記の課題を解決するため、本発明のカードリーダは、カードに記録されたデータの読取りおよびカードへのデータの記録の少なくともいずれか一方を行うカードリーダにおいて、カードが移動するカード移動路が形成される本体フレームと、カードの挿入口が形成されるとともに本体フレームの前面側に配置される前面カバーと、本体フレームに固定される制御用のプリント基板である制御基板と、前面カバーが取り外されたことを検知するための検知機構と、自身が断線したことおよび短絡したことの少なくともいずれか一方を検知するための破壊検知回路が形成されるプリント基板である保護基板とを備え、カード移動路を移動するカードの移動方向であるカードリーダの前後方向と、カード移動路を移動するカードの厚さ方向とに直交する方向をカードの幅方向とすると、保護基板は、制御基板よりも後ろ側に配置される板状またはフィルム状の第１保護基板と、制御基板よりもカードの厚さ方向の一方側に配置される板状またはフィルム状の第２保護基板と、制御基板よりもカードの厚さ方向の他方側に配置される板状またはフィルム状の第３保護基板と、制御基板よりもカードの幅方向の一方側に配置される板状またはフィルム状の第４保護基板と、制御基板よりもカードの幅方向の他方側に配置される板状またはフィルム状の第５保護基板とを備え、保護基板は、制御基板に接続され、保護基板と制御基板との接続部分は、検知機構の後ろ側に配置されていることを特徴とする。
【００１３】
本発明のカードリーダでは、破壊検知回路が形成される保護基板は、制御基板よりも後ろ側に配置される第１保護基板と、制御基板よりもカードの厚さ方向の一方側に配置される第２保護基板と、制御基板よりもカードの厚さ方向の他方側に配置される第３保護基板と、制御基板よりもカードの幅方向の一方側に配置される第４保護基板と、制御基板よりもカードの幅方向の他方側に配置される第５保護基板とを備えており、制御基板は、後ろ側、カードの厚さ方向の両側およびカードの幅方向の両側の５方向から保護基板に囲まれている。すなわち、本発明では、保護基板と制御基板との接続部分は、破壊検知回路が形成される保護基板によって、後ろ側、カードの厚さ方向の両側およびカードの幅方向の両側の５方向から囲まれている。また、本発明では、保護基板と制御基板との接続部分は、前面カバーが取り外されたことを検知するための検知機構の後ろ側に配置されている。
【００１４】
そのため、本発明では、保護基板と制御基板との接続部分に対して犯罪者が不正行為を行おうとすると、保護基板の破壊検知回路が断線したり短絡したりするか、あるいは、検知機構が破壊されたりする。したがって、本発明では、保護基板の破壊検知回路の断線や短絡を検知したり、検知機構の異常を検知したりすることで、保護基板と制御基板との接続部分に対して犯罪者が不正行為を行おうとしていることを検知することが可能になる。
【００１５】
また、本発明では、保護基板と制御基板との接続部分に対して犯罪者が不正行為を行おうとしていることを検知するための手段として、前面カバーが取り外されたことを検知するための検知機構が利用されている。したがって、本発明では、保護基板と制御基板との接続部分を５方向から囲むように保護基板を構成すれば良い。すなわち、本発明では、従来のように保護基板と制御基板との接続部分を６方向から囲むように保護基板を構成しなくても良い。そのため、本発明では、保護基板と制御基板との接続部分に対して犯罪者が不正行為を行おうとしていることを検知することが可能であっても、カードリーダの構成を従来よりも簡素化することが可能になる。
【００１６】
本発明において、保護基板は、フレキシブルプリント基板であり、第１保護基板と第２保護基板と第３保護基板と第４保護基板と第５保護基板とが一体になっていることが好ましい。このように構成すると、第１保護基板と第２保護基板と第３保護基板と第４保護基板と第５保護基板とが別体で形成されている場合と比較して、保護基板の取り扱いが容易になり、その結果、カードリーダの組立が容易になる。
【００１７】
本発明において、たとえば、制御基板には、保護基板が接続されるコネクタが実装され、コネクタが検知機構の後ろ側に配置されている。また、本発明において、検知機構は、たとえば、接触式の検知スイッチである。
【００１８】
本発明において、カードリーダは、検知機構に電力を供給するバッテリーを備えることが好ましい。このように構成すると、カードリーダの電源がオフになっているときにも、前面カバーが取り外されたことを検知機構によって検知することが可能になる。
【００１９】
本発明において、カードリーダは、カードリーダが搭載される上位装置からカードリーダが取り外されたことを検知するための第２検知機構を備え、検知機構および第２検知機構は、前面カバーに取り付けられていることが好ましい。このように構成すると、検知機構の配線と第２検知機構の配線とをまとめて処理することが可能になる。したがって、検知機構が本体フレームに取り付けられている場合と比較して、検知機構および第２検知機構の配線の処理を簡素化することが可能になる。
【発明の効果】
【００２０】
以上のように、本発明では、破壊検知回路が形成される保護基板と制御基板との接続部分に対して犯罪者が不正行為を行おうとしていることを検知することが可能であっても、カードリーダの構成を従来よりも簡素化することが可能になる。
【図面の簡単な説明】
【００２１】
【図１】本発明の実施の形態にかかるカードリーダの斜視図である。
【図２】図１に示すカードリーダからケース本体を取り外した状態の分解斜視図である。
【図３】図１に示すカードリーダからケース体を取り外した状態の斜視図である。
【図４】図１に示すカードリーダからケース体および保護基板等を取り外した状態を別の方向から示す斜視図である。
【図５】図２に示す保護基板の構成を説明するための断面図である。
【図６】図２に示すシートスイッチの斜視図である。
【図７】（Ａ）は、図６に示す検知機構の構成を説明するための図であり、（Ｂ）は、図６に示す第２検知機構の構成を説明するための図である。
【発明を実施するための形態】
【００２２】
以下、図面を参照しながら、本発明の実施の形態を説明する。
【００２３】
（カードリーダの全体構成）
図１は、本発明の実施の形態にかかるカードリーダ１の斜視図である。図２は、図１に示すカードリーダ１からケース本体１２を取り外した状態の分解斜視図である。図３は、図１に示すカードリーダ１からケース体４を取り外した状態の斜視図である。図４は、図１に示すカードリーダ１からケース体４および保護基板１４等を取り外した状態を別の方向から示す斜視図である。
【００２４】
本形態のカードリーダ１は、カード２に記録されたデータの読取りやカード２へのデータの記録を行う装置である。具体的には、カードリーダ１は、カードリーダ１へのカード２の挿入とカードリーダ１からのカード２の抜取りとを手動で行ってデータの読取りや記録を行ういわゆるディップ式のカードリーダである。このカードリーダ１は、たとえば、無人またはセルフサービス方式のガソリンスタンドの給油装置やＡＴＭ等の上位装置に搭載されて使用される。
【００２５】
カード２は、たとえば、厚さが０．７〜０．８ｍｍ程度の矩形状の塩化ビニール製のカードである。カード２の一方の面には、磁気データが記録される磁気ストライプが形成されている。また、カード２には、ＩＣチップが内蔵されており、カード２の他方の面には、ＩＣチップの外部接続端子が形成されている。なお、カード２は、厚さが０．１８〜０．３６ｍｍ程度のＰＥＴ（ポリエチレンテレフタレート）カードや、所定の厚さの紙カード等であっても良い。
【００２６】
カードリーダ１は、カードリーダ本体３と、カードリーダ本体３を覆うケース体４とを備えている。カードリーダ本体３は、カード２が移動するカード移動路５が形成される本体フレーム６と、カード２に記録された磁気データの読取りおよびカード２への磁気データの記録の少なくともいずれか一方を行う磁気ヘッド７（図４参照）と、カード２に内蔵されるＩＣチップとデータの通信を行うための複数のＩＣ接点バネを有するＩＣ接点ブロック（図示省略）とを備えている。
【００２７】
ケース体４は、カード２の挿入口１０が形成される前面カバー１１と、ケース本体１２とから構成されている。また、カードリーダ１は、制御用のプリント基板である制御基板１３（図２参照）と、制御基板１３を保護するためのプリント基板である保護基板１４と、前面カバー１１が取り外されたこと、および、カードリーダ１が上位装置から取り外されたことを検知するためのシートスイッチ（メンブレンスイッチ）１５とを備えている。
【００２８】
本形態では、手動で操作されるカード２は、図１等に示すＸ方向に移動する。すなわち、Ｘ方向は、カード移動路５を移動するカード２の移動方向である。また、カード２は、Ｘ１方向に挿入され、Ｘ２方向に抜き取られる。また、Ｘ方向に直交する図１等のＺ方向は、カード移動路５を移動するカード２の厚さ方向であり、Ｘ方向とＺ方向とに直交する図１等のＹ方向は、カード移動路５を移動するカード２の幅方向（短手幅方向）である。
【００２９】
以下の説明では、Ｘ方向を前後方向、Ｙ方向を左右方向、Ｚ方向を上下方向とする。また、カードリーダ１へのカード２の挿入方向側であるＸ１方向側を「後ろ」側とし、カードリーダ１からのカード２の抜取り方向側であるＸ２方向側を「前」側とする。また、左右方向の一方側であるＹ１方向側を「右」側、左右方向の他方側であるＹ２方向側を「左」側、上下方向の一方側であるＺ１方向側を「上」側、上下方向の他方側であるＺ２方向側を「下」側とする。
【００３０】
本体フレーム６は、カードリーダ１に挿入されたカード２（すなわち、挿入口１０から挿入されたカード２）の後端側部分が収容されるカード収容部６ａと、磁気ヘッド７が配置されるヘッド配置部６ｂと、挿入口１０から挿入されたカード２を案内するためのカード案内部６ｃとを備えている。ヘッド配置部６ｂおよびカード案内部６ｃは、カード収容部６ａよりも前側に配置されている。ヘッド配置部６ｂおよびカード案内部６ｃと、カード収容部６ａとの間には、鍔状に広がる鍔部６ｄが形成されている。
【００３１】
鍔部６ｄは、カード収容部６ａの前端から上下方向および左右方向に広がる略長方形の枠状に形成されている。ヘッド配置部６ｂおよびカード案内部６ｃは、鍔部６ｄから前側へ突出している。ヘッド配置部６ｂとカード案内部６ｃとは、左右方向において間隔をあけた状態で形成されている。本形態では、ヘッド配置部６ｂが右側に配置され、カード案内部６ｃが左側に配置されている。磁気ヘッド７は、ヘッド配置部６ｂの前端側に取り付けられている。また、カード収容部６ａには、ＩＣ接点ブロックが取り付けられている。
【００３２】
前面カバー１１は、本体フレーム６の前面側に配置されており、本体フレーム６の前面側部分を覆っている。また、前面カバー１１は、カードリーダ１の前面を構成している。前面カバー１１の前面側には、上位装置へのカードリーダ１の取付面１１ａが形成されている。取付面１１ａは、前後方向に直交する平面となっている。また、前面カバー１１の前面側には、上位装置の前面パネルに形成される開口の中に配置される露出部１１ｂが形成されている。露出部１１ｂは、取付面１１ａから前側へ突出するように形成されており、上位装置にカードリーダ１が取り付けられたときに、上位装置の前面パネルの一部を構成している。すなわち、露出部１１ｂは、上位装置にカードリーダ１が取り付けられたときに、上位装置の外部に露出している。
【００３３】
また、前面カバー１１には、露出部１１ｂの前面から後ろ側に向かって窪む指挿入部１１ｃが形成されている。指挿入部１１ｃは、ユーザの指が挿入可能となる大きさに形成されており、ユーザがカードリーダ１へカード２を挿入する際、および、ユーザがカードリーダ１からカード２を抜き取る際には、この指挿入部１１ｃにユーザの指が挿入される。挿入口１０は、露出部１１ｂの前面、指挿入部１１ｃの左右の両側面および後面に形成されている。また、前面カバー１１の前面側には、取付面１１ａから後ろ側に向かって窪む凹部１１ｄが形成されている。凹部１１ｄは、露出部１１ｂの左側に形成されている。
【００３４】
ケース本体１２は、前端が開口する略直方体の箱状に形成されている。前面カバー１１とケース本体１２とは、前面カバー１１の後端とケース本体１２の前端とが当接した状態で互いに固定されている。ケース体４は、カードリーダ本体３の上下の両面、左右の両面および前後の両面を覆っている。
【００３５】
（制御基板、保護基板およびシートスイッチの構成）
図５は、図２に示す保護基板１４の構成を説明するための断面図である。図６は、図２に示すシートスイッチ１５の斜視図である。図７（Ａ）は、図６に示すスイッチ部１５ａの構成を説明するための図であり、図７（Ｂ）は、図６に示すスイッチ部１５ｂの構成を説明するための図である。
【００３６】
制御基板１３は、略長方形の平板状に形成されたリジッド基板である。制御基板１３は、カード収容部６ａの上面に固定されている。すなわち、制御基板１３は、本体フレーム６に固定されている。制御基板１３は、制御基板１３の厚さ方向と上下方向とが一致するように配置されている。また、制御基板１３は、鍔部６ｄよりも後ろ側に配置されるとともに、鍔部６ｄの上端よりも下側に配置されている。磁気ヘッド７は、フレキシブルプリント基板１９（以下、「ＦＰＣ１９」とする。）を介して制御基板１３に電気的に接続されている。ＩＣ接点ブロックも、フレキシブルプリント基板を介して制御基板１３に電気的に接続されている。
【００３７】
図２に示すように、制御基板１３には、ＦＰＣ１９が接続されるコネクタ２２と、保護基板１４が接続されるコネクタ２３と、シートスイッチ１５が接続されるコネクタ２４とが実装されている。コネクタ２２〜２４は、制御基板１３の上面に実装されている。また、制御基板１３には、シートスイッチ１５に電力を供給するバッテリー２５が実装されている。
【００３８】
制御基板１３は、磁気ヘッド７によってカード２の磁気ストライプから読み取った磁気データの信号（データ信号）や磁気ヘッド７によってカード２の磁気ストライプに記録するデータ信号を伝えるためのデータ信号回路が形成されるデータ信号回路層を備えている。また、制御基板１３は、ＩＣ接点バネによってカード２のＩＣチップから読み取ったデータの信号（データ信号）やＩＣ接点バネによってカード２のＩＣチップに記録するデータ信号を伝えるためのデータ信号回路が形成されるデータ信号回路層を備えている。
【００３９】
保護基板１４は、フレキシブルプリント基板であり、柔軟性を有するフィルム状に形成されている。図５に示すように、保護基板１４は、自身が断線したことおよび短絡したことを検知するための破壊検知回路が形成される破壊検知回路層２９と、破壊検知回路層２９を挟むように配置される絶縁層３０とを備えている。破壊検知回路は、保護基板１４のほぼ全域に形成されている。また、破壊検知回路は、バッテリー２５に接続されている。絶縁層３０は、破壊検知回路層２９の上下の両面を覆っている。
【００４０】
保護基板１４は、カードリーダ１の後面側に配置される後面部１４ａと、カードリーダ１の上面側に配置される上面部１４ｂと、カードリーダ１の下面側に配置される下面部１４ｃと、カードリーダ１の右側面側に配置される右側面部１４ｄと、カードリーダ１の左側面側に配置される左側面部１４ｅと、コネクタ２３に接続される帯状の被接続部１４ｆとから構成されている。
【００４１】
保護基板１４は、所定形状のフレキシブルプリント基板を折り曲げることで形成されており、後面部１４ａと上面部１４ｂと下面部１４ｃと右側面部１４ｄと左側面部１４ｅと被接続部１４ｆとは一体になっている。具体的には、後面部１４ａの上端と上面部１４ｂの後端とが繋がり、後面部１４ａの下端と下面部１４ｃの後端とが繋がり、右側面部１４ｄの上端側部分の上端と上面部１４ｂの右端とが繋がり、左側面部１４ｅの上端側部分の上端と上面部１４ｂの左端とが繋がり、右側面部１４ｄの下端側部分の下端と下面部１４ｃの右端とが繋がり、左側面部１４ｅの下端側部分の下端と下面部１４ｃの左端とが繋がっている。また、被接続部１４ｆは、上面部１４ｂの前端に繋がっている。
【００４２】
後面部１４ａは、制御基板１３およびカード収容部６ａよりも後ろ側に配置され、上面部１４ｂは、制御基板１３およびカード収容部６ａよりも上側に配置され、下面部１４ｃは、制御基板１３およびカード収容部６ａよりも下側に配置され、右側面部１４ｄは、制御基板１３およびカード収容部６ａよりも右側に配置され、左側面部１４ｅは、制御基板１３およびカード収容部６ａよりも左側に配置されている。すなわち、保護基板１４は、上下の両側、左右の両側および後ろ側からカード収容部６ａおよび制御基板１３を囲むように配置されており、上下の両側、左右の両側および後ろ側からカード収容部６ａおよび制御基板１３を覆っている。
【００４３】
具体的には、保護基板１４は、図３に示すように、カード収容部６ａの、前端側かつ下端側の一部分を除いた大半部分を、上下の両側、左右の両側および後ろ側から覆っている。また、保護基板１４は、制御基板１３の全体を左右の両側、上側および後ろ側から覆うとともに、カード収容部６ａを介して制御基板１３を下側から覆っている。本形態の後面部１４ａは第１保護基板であり、上面部１４ｂは第２保護基板であり、下面部１４ｃは第３保護基板であり、右側面部１４ｄは第４保護基板であり、左側面部１４ｅは第５保護基板である。
【００４４】
シートスイッチ１５は、薄いシート状に形成されている。シートスイッチ１５は、前面カバー１１が取り外されたことを検知するためのスイッチ部１５ａと、カードリーダ１が上位装置から取り外されたことを検知するためのスイッチ部１５ｂと、スイッチ部１５ａ、１５ｂを制御基板１３に接続する帯状の接続部１５ｃとから構成されている。スイッチ部１５ａ、１５ｂは、接点電極等を有する接触式の検知スイッチである。本形態のスイッチ部１５ａは、前面カバー１１が取り外されたことを検知するための検知機構であり、スイッチ部１５ｂは、上位装置からカードリーダ１が取り外されたことを検知するための第２検知機構である。
【００４５】
スイッチ部１５ａは、前面カバー１１の後面の上端側に固定されている。すなわち、スイッチ部１５ａは、前面カバー１１に取り付けられている。本体フレーム６の鍔部６ｄの前面には、前側に向かって突出する凸部６ｅが形成されている。前面カバー１１とケース本体１２とが互いに固定された状態では、図７（Ａ）に示すように、スイッチ部１５ａの接点電極は、凸部６ｅによって前側に押されており、スイッチ部１５ａは、導通状態となっている。一方、前面カバー１１が取り外されると、スイッチ部１５ａの接点電極が凸部６ｅに押されなくなって、スイッチ部１５ａが非導通状態となるため、前面カバー１１が取り外されたことが検知される。
【００４６】
スイッチ部１５ｂは、前面カバー１１の凹部１１ｄの底面（後ろ側の面）に固定されている。すなわち、スイッチ部１５ｂは、前面カバー１１に取り付けられている。上位装置の前面パネルの後面には、後ろ側に向かって突出する凸部４５が形成されている。カードリーダ１が上位装置に取り付けられた状態では、図７（Ｂ）に示すように、スイッチ部１５ｂの接点電極は、凸部４５によって後ろ側に押されており、スイッチ部１５ｂは、導通状態となっている。一方、上位装置からカードリーダ１が取り外されると、スイッチ部１５ｂの接点電極が凸部４５に押されなくなって、スイッチ部１５ｂが非導通状態となるため、カードリーダ１が上位装置から取り外されたことが検知される。
【００４７】
接続部１５ｃの一端は、コネクタ２４に接続されている。接続部１５ｃの他端側は、スイッチ部１５ａに繋がる第１接続部１５ｄと、スイッチ部１５ｂに繋がる第２接続部１５ｅとに分岐している。第１接続部１５ｄおよび第２接続部１５ｅは、鍔部６ｄよりも前側に配置されている。鍔部６ｄには、前後方向に貫通する貫通穴が形成されており、シートスイッチ１５は、この貫通穴を通過するように引き回されている。
【００４８】
上述のように、保護基板１４の被接続部１４ｆは、制御基板１３に実装されたコネクタ２３に接続されている。すなわち、保護基板１４は、コネクタ２３を介して制御基板１３に接続されている。本形態では、保護基板１４と制御基板１３との接続部分であるコネクタ２３は、スイッチ部１５ａの背後に配置されている。すなわち、コネクタ２３は、スイッチ部１５ａの後ろ側に配置されている。具体的には、コネクタ２３は、鍔部６ｄを介してスイッチ部１５ａの後ろ側に配置されている。また、コネクタ２３は、上下方向および左右方向において、スイッチ部１５ａと略同じ位置に配置されている。すなわち、前後方向から見たときに、少なくともコネクタ２３の一部とスイッチ部１５ａの一部とが重なるように、コネクタ２３が配置されている。
【００４９】
また、上述のように、保護基板１４は、上下の両側、左右の両側および後ろ側からカード収容部６ａおよび制御基板１３を囲むように配置されているため、制御基板１３に実装されるコネクタ２３は、上下の両側、左右の両側および後ろ側から保護基板１４に囲まれている。具体的には、制御基板１３の上面に実装されるコネクタ２３の全体が左右の両側、上側および後ろ側から保護基板１４に覆われている。
【００５０】
なお、本形態では、データを不正に取得するために犯罪者によって何らかの不正行為が行われて、保護基板１４の破壊検知回路の断線や短絡が検知されたり、上位装置からカードリーダ１が取り外されたことが検知されたり、前面カバー１１が取り外されたことが検知されたりすると、制御基板１３に記憶されているデータを消去したり、制御基板１３を使用不可な状態にしたり、上位装置に異常を通知する等の所定の処理が実行される。そのため、制御基板１３からのデータの不正取得が防止される。
【００５１】
（本形態の主な効果）
以上説明したように、本形態では、保護基板１４と制御基板１３との接続部分であるコネクタ２３は、上下の両側、左右の両側および後ろ側から保護基板１４に囲まれている。また、本形態では、コネクタ２３は、スイッチ部１５ａの後ろ側に配置されている。そのため、本形態では、保護基板１４と制御基板１３との接続部分に対して犯罪者が不正行為を行おうとすると、保護基板１４の破壊検知回路が断線したり短絡したりするか、あるいは、スイッチ部１５ａが破壊されたりする。したがって、本形態では、保護基板１４の破壊検知回路の断線や短絡を検知したり、スイッチ部１５ａの異常を検知したりすることで、保護基板１４と制御基板１３との接続部分に対して犯罪者が不正行為を行おうとしていることを検知することが可能になる。
【００５２】
また、本形態では、保護基板１４と制御基板１３との接続部分に対して犯罪者が不正行為を行おうとしていることを検知するための手段として、前面カバー１１が取り外されたことを検知するためのスイッチ部１５ａが利用されている。したがって、本形態では、保護基板１４と制御基板１３との接続部分を上下の両側、左右の両側および後ろ側の５方向から囲むように保護基板１４を構成すれば良い。すなわち、本形態では、従来のように保護基板１４と制御基板１３との接続部分を６方向から囲むように保護基板１４を構成しなくても良い。そのため、本形態では、保護基板１４と制御基板１３との接続部分に対して犯罪者が不正行為を行おうとしていることを検知することが可能であっても、カードリーダ１の構成を従来よりも簡素化することが可能になる。
【００５３】
本形態では、保護基板１４は、フレキシブルプリント基板であり、後面部１４ａと上面部１４ｂと下面部１４ｃと右側面部１４ｄと左側面部１４ｅとが一体になっている。そのため、本形態では、後面部１４ａと上面部１４ｂと下面部１４ｃと右側面部１４ｄと左側面部１４ｅとが別体で形成されている場合と比較して、保護基板１４の取り扱いが容易になり、その結果、カードリーダ１の組立が容易になる。
【００５４】
本形態では、制御基板１３に実装されるバッテリー２５からシートスイッチ１５に電力が供給されている。そのため、本形態では、カードリーダ１の電源がオフになっているときにも、前面カバー１１が取り外されたこと、および、上位装置からカードリーダ１が取り外されたことを検知することが可能になる。
【００５５】
本形態では、前面カバー１１が取り外されたことを検知するためのスイッチ部１５ａと、カードリーダ１が上位装置から取り外されたことを検知するためのスイッチ部１５ｂとが前面カバー１１に取り付けられている。そのため、本形態では、共通の接続部１５ｃを利用して、スイッチ部１５ａの配線とスイッチ部１５ｂの配線とをまとめて処理することが可能になる。したがって、本形態では、スイッチ部１５ａ、１５ｂの配線の処理を簡素化することが可能になる。
【００５６】
（他の実施の形態）
上述した形態は、本発明の好適な形態の一例ではあるが、これに限定されるものではなく本発明の要旨を変更しない範囲において種々変形実施が可能である。
【００５７】
上述した形態において、保護基板１４の被接続部１４ｆは、制御基板１３に半田付けされて接続されても良い。すなわち、保護基板１４は、制御基板１３に直接、接続されても良い。この場合であっても、保護基板１４と制御基板１３との接続部分は、スイッチ部１５ａの後ろ側に配置されている。また、保護基板１４と制御基板１３との接続部分は、上下の両側、左右の両側および後ろ側から保護基板１４に囲まれている。
【００５８】
上述した形態では、後面部１４ａと上面部１４ｂと下面部１４ｃと右側面部１４ｄと左側面部１４ｅとが一体になっているが、後面部１４ａ、上面部１４ｂ、下面部１４ｃ、右側面部１４ｄおよび左側面部１４ｅの少なくとも１つが別体で形成されていても良い。この場合には、後面部１４ａ、上面部１４ｂ、下面部１４ｃ、右側面部１４ｄおよび左側面部１４ｅの少なくとも１つが平板状のリジッド基板であっても良い。また、後面部１４ａ、上面部１４ｂ、下面部１４ｃ、右側面部１４ｄおよび左側面部１４ｅの全てが別体で形成される場合には、後面部１４ａ、上面部１４ｂ、下面部１４ｃ、右側面部１４ｄおよび左側面部１４ｅの全てが平板状のリジッド基板であっても良い。
【００５９】
上述した形態において、スイッチ部１５ａを有するシートスイッチとスイッチ部１５ｂを有するシートスイッチとが個別に設けられていても良い。また、上述した形態において、スイッチ部１５ａは、鍔部６ｄに取り付けられていても良い。すなわち、スイッチ部１５ａは、本体フレーム６に取り付けられていても良い。また、上述した形態では、接点電極等を有する接触式の検知スイッチであるスイッチ部１５ａが、前面カバー１１が取り外されたことを検知するための検知機構となっているが、この検知機構は、接触式の検知スイッチ以外の機械式のスイッチであっても良いし、光学式のセンサであっても良い。
【００６０】
上述した形態では、保護基板１４に形成される破壊検知回路を用いて、この破壊検知回路の断線および短絡が検知されているが、保護基板１４に形成される破壊検知回路を用いて、この破壊検知回路の断線または短絡の一方のみが検知されても良い。また、上述した形態において、カードリーダ本体３は、磁気ヘッド７を備えていなくても良いし、ＩＣ接点ブロックを備えていなくても良い。また、上述した形態では、カードリーダ１は、手動式のカードリーダであるが、カードリーダ１は、カード２を自動で搬送するカード搬送機構を有するカード搬送式のカードリーダであっても良い。
【符号の説明】
【００６１】
１  カードリーダ
２  カード
５  カード移動路
６  本体フレーム
１０  挿入口
１１  前面カバー
１３  制御基板
１４  保護基板
１４ａ  後面部（第１保護基板）
１４ｂ  上面部（第２保護基板）
１４ｃ  下面部（第３保護基板）
１４ｄ  右側面部（第４保護基板）
１４ｅ  左側面部（第５保護基板）
１５ａ  スイッチ部（検知機構）
１５ｂ  スイッチ部（第２検知機構）
２３  コネクタ（保護基板と制御基板との接続部分）
２５  バッテリー
Ｘ  カードの移動方向、カードリーダの前後方向
Ｘ１  後ろ方向
Ｘ２  前方向
Ｙ  カードの幅方向
Ｚ  カードの厚さ方向
【図１】
2018169832.tif 000003
【図２】
2018169832.tif 000004
【図３】
2018169832.tif 000005
【図４】
2018169832.tif 000006
【図５】
2018169832.tif 000007
【図６】
2018169832.tif 000008
【図７】
2018169832.tif 000009